(57)【要約】【課題】什器を収納・保管時に十分充電して再使用時に外部機器に給電できる。【解決手段】バッテリ２を設けた複数の椅子３を収納・保管する収納カート４を備える。椅子３にはバッテリに充電するための接点部を有する摺動ピース９を設ける。収納カート４には摺動ピース９を保持して椅子３の移動をガイドするガイドレール１５を設ける。ガイドレール１５には摺動ピース９を位置決めする凹部を設け、凹部の領域の内壁に外部電源に接続された接点部を有する。摺動ピース９がガイドレール１５の凹部に位置決めされると、摺動ピース９の接点部はガイドレールの接点部に接触してバッテリ２に充電する。【選択図】図１
2010119212.tif 000002
【特許請求の範囲】
【請求項１】
充電可能なバッテリを設けた移動可能な什器と、該什器を収納・保管する収納カートとを備えていて、
前記什器には前記バッテリに充電するための入力用端子部が設けられ、
前記収納カートには、前記入力用端子部を移動可能に保持して什器の移動をガイドするライン状のガイド部が設けられていると共に、該ガイド部には前記入力用端子部に電気的に接続して電源から給電する出力用端子部が設けられていることを特徴とする収納カート充電装置。
【請求項２】
前記ガイド部には所定間隔で他の領域よりも前記什器の保持高さが変わる凹部または凸部が設けられ、
前記什器が凹部または凸部に位置決め保持された状態で前記入力用端子部が前記出力用端子部と接触して通電させられる請求項１に記載された収納カート充電装置。
【請求項３】
前記ガイド部には凹部が設けられ、前記入力用端子部は前記ガイド部の凹部以外の領域では前記什器を少なくとも部分的に浮かせて保持して移動可能であり、前記入力用端子部は前記凹部では前記什器の自重によって前記ガイド部の出力用端子部に接触させられるようにした請求項２に記載された収納カート充電装置。
【請求項４】
前記什器はキャスターを備えており、前記ガイド部は、前記出力用端子部が設けられた充電用ガイド部と、前記什器のキャスターの移動と前記バッテリの充電をガイドする移動用ガイド部とを備えている請求項１に記載された収納カート充電装置。
【請求項５】
前記充電用ガイド部には入力用端子部が移動可能に保持され、
前記移動用ガイド部には、前記充電用ガイド部の出力用端子部に対応して凹部が設けられていて、該凹部に前記什器のキャスターが落ち込んだ位置で前記入力用端子部が出力用端子部に接触するようにした請求項４に記載された収納カート充電装置。
【請求項６】
前記充電用ガイド部には所定間隔で他の領域よりも下方に突出する凸部が設けられていると共に該凸部に前記出力用端子部が設けられており、
前記什器に設けた入力用端子部は、前記ガイド部の凸部に対向する位置で前記出力用端子部に接続され且つ前記凸部以外の位置では非接触となるようにした請求項４に記載された収納カート充電装置。
【請求項７】
前記移動用ガイド部には、前記什器の入力用端子部が前記充電用ガイド部の凸部に対応する位置で前記キャスターを位置決めする位置決め用突起部が設けられている請求項６に記載された収納カート充電装置。
【請求項８】
前記入力用端子部は弾性部材によって充電用ガイド部の方向に付勢されている請求項１、６または７に記載された収納カート充電装置。
【請求項９】
前記充電用ガイド部は、ガイド溝の内部に出力用端子部が設けられており、前記移動用ガイド部は前記充電用ガイド部の両側に設けられていると共に、前記移動用ガイド部を移動する前記キャスターには前記充電用ガイド部のガイド溝内で前記出力用端子部に接続可能な入力用端子部を有している請求項４に記載された収納カート充電装置。
【請求項１０】
前記移動用ガイド部には前記キャスターを位置決めする凹部が形成され、前記キャスターが凹部に落ち込んだ位置で前記入力用端子部が前記出力用端子部に接触するようにした請求項９に記載された収納カート充電装置。
【請求項１１】
前記キャスターには前記充電用ガイド部の両側に配設可能な一対の車輪が設けられていると共に、前記キャスターの一対の車輪の間に前記入力用端子部が設けられている請求項９または１０に記載された収納カート充電装置。
【請求項１２】
前記充電用ガイド部は波形形状を有していて並列に配設された一対の波形接点部からなる出力用端子部を有しており、前記移動用ガイド部は充電用ガイド部の両側に設けられており、前記キャスターは移動用ガイド部を移動可能な車輪と前記一対の波形接点部の間に挿入されていて摺動可能に接触する前記入力用端子部とを備えている請求項４に記載された収納カート充電装置。
【請求項１３】
前記入力用端子部は前記一対の接点部に接触する平行平面部を有する舟形接点部である請求項１２に記載された収納カート充電装置。
【発明の詳細な説明】
【技術分野】
【０００１】
本発明は、移動可能な椅子や机等の什器に設けたバッテリに充電可能な収納カート充電装置に関する。
【背景技術】
【０００２】
近年、携帯電話やパーソナルコンピュータ（以下、パソコンという）やＰＤＡ（Personal Digital Asistant）等の携帯型の個人用情報機器類の普及が著しい。これらの機器は内蔵されたバッテリに充電しておくことで作動するようにしたものが殆どであり、バッテリの容量や状態によって使用時間が制限される。これらの機器類を利用したモバイルなライフスタイルは既に日常的になっているが、外出先ではバッテリ充電用の外部電源を確保できないことが多いために使用時間に制約があり、また専用のＡＣアダプラを持ち歩くことは煩わしく、最悪の場合には使用途中で電池切れが発生して使用できなくなることもあった。
【０００３】
一方、従来の電源を内蔵した什器として、特許文献１に記載された移動什器では、移動什器本体に発電用燃料を用いて発電する燃料電池と充電可能な二次電池とからなる電力供給部と、携帯電話やノート型パソコン端末等の外部の電気機器に電力を出力するための電力出力部とを備えている。そして、燃料電池からの電力を充電部に供給して二次電池へ充電する充電制御を実施する。
また、燃料電池から外部の電気機器への出力電力が低下したときに、二次電池からの電力を電力出力部から出力して、外部の電気機器等に出力される電力量に見合う電力を供給するようにしている。
【特許文献１】特開２００７−８２７８９号公報
【発明の開示】
【発明が解決しようとする課題】
【０００４】
しかしながら、上述した特許文献１に記載された什器のように内部に燃料電池や二次電池を備えることは高コストになるという不具合があり、多くの什器に設置できなかった。
また、給電可能な什器を利用する場合、外部電源から給電用のコンセントが接続されていると移動に制限があり、電源を様々な用途に利用することができないという問題もあった。また、オフィスの移転やレイアウト変更等があると家具毎に所要の位置に給電用のコンセントが必要になるため、大がかりな電源工事が必要になるという欠点もあった。
【０００５】
本発明は、このような実情に鑑みて、什器を収納・保管時に十分充電して再使用時に様々な外部機器に給電できるようにした収納カート充電装置を提供することを目的とする。
【課題を解決するための手段】
【０００６】
本発明による収納カート充電装置は、充電可能なバッテリを設けた移動可能な什器と、該什器を収納・保管する収納カートとを備えていて、什器にはバッテリに充電するための入力用端子部が設けられ、収納カートには、入力用端子部を移動可能に保持して什器の移動をガイドするライン状のガイド部が設けられていると共に、該ガイド部には入力用端子部に電気的に接続して電源から給電する出力用端子部が設けられていることを特徴とする。
本発明によれば、什器を収納カートに収納・保管するに際し、収納カートのガイド部に什器の入力用端子部を保持させて移動し、適宜の位置でガイド部に設けた出力用端子部と接触・導通させることで、外部電源から出力用端子部及び入力用端子部を通して給電して什器のバッテリに充電できる。しかも、１または複数の什器を収納カートに保管した状態で充電を行える。
しかも什器は収納カートに対して先入れ先出しが可能であるから、最も充電時間の長い先入れした什器から取り出すことができる。
【０００７】
また、ガイド部には所定間隔で他の領域よりも什器の保持高さが変わる凹部または凸部が設けられ、什器が凹部または凸部に位置決め保持された状態で入力用端子部が出力用端子部と接触して通電されるようにしてもよい。
什器を収納カートのガイド部に設けた凹部または凸部に位置決めすることで、確実に入力端子部を出力端子部に接触させることができる。
また、ガイド部には凹部が設けられ、入力用端子部はガイド部の凹部以外の領域では什器を少なくとも部分的に浮かせて保持して移動可能であり、入力用端子部は凹部では什器の自重によってガイド部の出力用端子部に接触させられるようにしてもよい。
什器はガイド部の凹部以外の領域では少なくとも部分的に浮かせた状態で移動させ、凹部で位置決めされると共に什器の自重で入力端子部を出力端子部に接触させることができる。
【０００８】
また、什器はキャスターを備えており、ガイド部は、出力用端子部が設けられた充電用ガイド部と、什器のキャスターの移動とバッテリの充電をガイドする移動用ガイド部とを備えていることが好ましい。
収納カートの移動用ガイド部に沿って什器を移動させ、位置決め停止させた状態で什器の入力端子部を収納カートの出力端子部に接触させて充電することができる。
また、充電用ガイド部には入力用端子部が移動可能に保持され、移動用ガイド部には、充電用ガイド部の出力用端子部に対応して凹部が設けられていて、該凹部に什器のキャスターが落ち込んだ位置で入力用端子部が出力用端子部に接触するようにしてもよい。
移動用ガイド部の凹部で什器のキャスターを位置決めさせると、その位置で充電用ガイド部において出力用端子部に什器の入力用端子部を位置決めして接触・充電させることができる。
【０００９】
また、充電用ガイド部には所定間隔で他の領域よりも下方に突出する凸部が設けられていると共に該凸部に出力用端子部が設けられており、什器に設けた入力用端子部は、充電用ガイド部の凸部に対向する位置で出力用端子部に接続され且つ凸部以外の位置では非接触となるようにしてもよい。
什器は収納カートの移動用ガイド部に沿って移動するが、充電用ガイド部の凸部以外の位置では入力用端子部と出力用端子部が非接触であり、凸部に対向する位置で停止させると入力用端子部は出力用端子部に接続される。
また、移動用ガイド部には、什器の入力用端子部が充電用ガイド部の凸部に対応する位置でキャスターを位置決めする位置決め用突起部が設けられていてもよく、什器の入力用端子部を出力用端子部に対応する位置で位置決めできる。
また、入力用端子部は弾性部材によって充電用ガイド部の方向に付勢されていてもよく、これによって、確実に入力用端子部を出力用端子部に接続できる。
なお、入力用端子部は什器の付属品に取り付けてもよい。
【００１０】
また、充電用ガイド部は、ガイド溝の内部に出力用端子部が設けられており、移動用ガイド部は充電用ガイド部の両側に設けられていると共に、移動用ガイド部を移動するキャスターには充電用ガイド部のガイド溝内で出力用端子部に接続可能な入力用端子部を有していてもよい。
この場合、移動用ガイド部に沿って什器のキャスターを移動させることで、充電用ガイド部のガイド溝に設けた出力用端子部に沿って入力用端子部を移動できる。
また、移動用ガイド部にはキャスターを位置決めする凹部が形成され、キャスターが凹部に落ち込んだ位置で入力用端子部が出力用端子部に接触するようにしてもよい。
什器のキャスターを凹部に位置決め停止することで、入力用端子部を出力用端子部に接触させることができる。
また、キャスターの車輪は、充電用ガイド部の両側に一対配設されていると共に、キャスターの一対の車輪の間に入力用端子部が設けられていてもよい。
什器のキャスターを充電用ガイド部の両側の移動用ガイド部に沿って移動させると、入力用端子部も出力用端子部に沿って移動させることができる。
【００１１】
また、充電用ガイド部は波形形状を有していて並列に配設された一対の波形接点部からなる出力用端子部を有しており、移動用ガイド部は充電用ガイド部の両側に設けられていおり、キャスターは移動用ガイド部を移動可能な車輪と一対の波形接点部の間に挿入されていて摺動可能に接触する入力用端子部とを備えていてもよい。
什器の入力用端子部は一対の波形接点部に挿入された状態で移動するから、什器の位置に関わらず出力用端子部から外れることはない。
また、入力用端子部は一対の接点部に接触する平行平面部を有する舟形接点部であってもよく、什器の移動停止位置に関わらず、舟形接点部は波形接点部に挟持されて接触状態を維持できて充電を確実に行える。
【発明の効果】
【００１２】
本発明による収納カート充電装置は、什器について個々に充電する必要がなく収納カートに収納・保管した状態で自動的に複数の什器のバッテリに充電できる。そのため、什器を常時コンセントに接続しておく必要がなく、不使用時に収納カートに収納・保管しておけば自動的に充電でき、使用時の移動等が容易で使用し易い。
【発明を実施するための最良の形態】
【００１３】
以下、本発明の各実施形態を添付図面により説明する。
図１乃至図３は本発明の第一の実施形態による収納カート充電装置を示すもので、図１は収納カート充電装置の側面図と正面図、図２はガイドレールの接点部と机の摺動ピースとの接続構造を示す図、図３は椅子の摺動ピースとガイドレールの接点部との連結構造を示す断面図であって、（ａ）は非接触状態、（ｂ）は接触状態の図である。
図１において、本発明の第一の実施形態による収納カート充電装置１は、充電用のバッテリ２を内蔵（または外付け）した椅子３と、複数の椅子３を水平方向に重ねて保管する収納カート４とを備えている。椅子３は座部６と背もたれ部７と座部６の下部に設けた前脚８ａ及び後脚８ｂとを有しており、前脚８ａと後脚８ｂにはそれぞれキャスター５が設けられている。
【００１４】
バッテリ２は椅子３の例えば背もたれ部７に内蔵されており、図示しない外部機器に電気を出力する接続端子に接続されている。椅子３には、側面より外方に突出するように導体をなす摺動ピース９が設けられている。より具体的には、背もたれ部７と両側の後脚８ｂ、８ｂとの各接続部分には、導体をなす摺動ピース９がそれぞれ設けられている。そして、一方（両方でもよい）の摺動ピース９は図示しない配線を介してバッテリ２に電気的に接続されている。
摺動ピース９は、図３に示すように、椅子３内に固定された支持板９ａと、支持板９ａの中央から椅子３の外側に延びる軸部９ｂと、接続端子部１０とで形成されている。接続端子部１０は、後述するガイドレールの導体に接触可能な平板状の接点部１０ａと、その両側で上方に斜めに屈曲して延びた傾斜部１０ｂ、１０ｂとで構成されている。この摺動ピース９は入力用端子部を構成する。
【００１５】
収納カート４は例えば長方形状の基部１２の両側に、一対のフレーム部１３、１３が対向して取り付けられ、各フレーム部１３の中間の高さ部分には基部１２と平行に断面略コの字形状のガイドレール１５が水平方向に配設され固定され、ガイド部を構成する。一対のガイドレール１５は図３に示すように中央内側に開口部１５ａを形成するように断面視上下両端部がそれぞれ離間して略コ字状に湾曲形成され、椅子３の摺動ピース９が挿入されて係わり合っている。
ガイドレール１５は椅子３の摺動ピース９より高い位置に固定保持されている。図２に示すガイドレール１５の開口部１５ａはガイドレール１５の長手方向両端まで延びて開口しており、しかも開口部１５の下側部分には所定間隔で複数の凹部１６が形成されている。
このガイドレール１５は、図３に示すように、摺動ピース９の軸部９ｂが進入する上述した開口部１５ａと、この開口部１５ａの上下に湾曲形成されていて接続端子部１０の傾斜部１０ｂ、１０ｂを収容するガイド空間部１５ｂ、１５ｂとを有している。また、ガイドレール１５の開口部１５ａに臨む下側の端面には、摺動ピース９の軸部９ｂを着座させた状態で摺動可能に支持する例えば合成樹脂製の着座板１７が全長に亘って設けられている。
【００１６】
また、ガイドレール１５の内面において、各凹部１６の領域では、ガイドレール１５の上下の各屈曲部にベアリング１９、１９が配列支持されている。各ベアリング１９の上側の面には中央にベアリング１９が突出する開口を設けた押さえ板２０が設けられ（図３（ｂ）参照）、摺動ピース９の傾斜部１０ｂが当接する際にベアリング１９に接触して椅子３の自重で摺動可能とされている。ガイドレール１５において、凹部１６を設けない領域ではベアリング１９と押さえ板２０は設けられていない（図３（ａ）参照）が、設けてもよい。
また、ガイドレール１５の内面において、各凹部１６の領域では、摺動ピース９の平板状の接点部１０ａに対向する位置に外部電源に電気的に接続された導体からなる接点部２１が出力用端子部として設けられており、凹部１６を設けない領域には接点部２１は設けられていない。
なお、上述の説明では、互いに接触する椅子３の接点部１０ａと収納カート４の接点部２１とについてのみ説明したが、これらは１つの摺動ピース９の接点部１０ａと１つのガイドレール１５の接点部２１に正極と負極の２つの電極を分離して有するものとする。或いは、椅子３の両側の摺動ピース９，９の接点部１０ａ，１０ａ及びガイドレール１５、１５の接点部２１、２１の一方を正極とし、他方を負極としてもよい。
本実施形態による収納カート充電装置１はガイドレール１５の領域に充電用ガイド部と移動用ガイド部が設けられている。
【００１７】
本実施形態による収納カート充電装置１は上述の構成を備えており、次に椅子３に設けたバッテリ２に充電を行う作用を説明する。
図１において、収納カート１に使用済みの複数の椅子３を積み重ねて収納・保管する。まず、椅子３を収納カート４の一対のフレーム部１３、１３間に配置し、椅子３をフレーム部１３、１３間に挿入すると共に椅子３の後部を持ち上げて後部両側に設けた摺動ピース９，９をガイドレール１５，１５に挿入する（図３（ａ）参照）。この状態で、椅子３は、摺動ピース９，９の軸部９ｂがガイドレール１５の凹部１６のない領域の下側の端面に設けた着座板１７に当接した前傾姿勢となり（図１参照）、摺動ピース９の接点部１０ａはガイドレール１５内の対向する位置に接点部２１がないため、非通電状態にある（図３（ａ）参照）。
【００１８】
そして、椅子３を移動させることで両側の摺動ピース９の軸部９ｂがガイドレール１５の着座板１７に沿って摺動して前傾姿勢で進み、ガイドレール１５の適宜位置の凹部１６、例えば最も前方側の凹部１６に摺動ピース９，９の軸部９ｂ、９ｂが落ち込むと椅子３が降下し、位置決めされる。この位置で、各摺動ピース９の軸部９ｂはガイドレール１５の凹部１６内に落ち込むため、軸部９ｂに連結された接続端子部１０が降下する。すると、上下の傾斜部１０ｂ、１０ｂはベアリング１９、１９に当接すると共に後部が浮いている椅子３の自重によって下方に摺動し、接点部１０ａがガイドレール部１５の接点部２１に接触して停止する（図３（ｂ）参照）。
この状態で、接続端子部１０の接点部１０ａがガイドレール部１５の接点部２１と導通接触状態になり、図示しない外部電極から給電されて椅子３のバッテリ２を充電する。
【００１９】
同様に、次の椅子３の摺動ピース９を収納カート４のガイドレール１５に挿入し、椅子３を前傾姿勢に保持して移動させることでガイドレール１５に沿って前方に進められる。そして、先に位置決め保持した椅子３の次の凹部１６に摺動ピース９の軸部９ｂを落とし込んで位置決めし、接続端子部１０の接点部１０ａがガイドレール部１５の接点部２１と接触・導通状態になり、外部電極から給電されて椅子３のバッテリ２を充電する。
このようにして、順次、複数の椅子３を収納カート４に収納することで、それぞれ凹部１６で保持され、保管状態で各椅子３のバッテリ２が充電される。
充電終了後に椅子３を使用する場合には、収納カート４の前側に保持された椅子３から順次前方に取り外せば、これらの椅子３は既にバッテリ２が充電されている。即ち、椅子３は収納カート４に対して先入れ先出しが可能な構造であるから、最も充電時間の長い先入れした椅子３から順次取り出すことができる。そのため、取り出した椅子３を所要の場所に設置して、パソコン等の給電が必要な機器類に接続し、バッテリ２から給電して使用することができる。
【００２０】
上述のように、本実施形態による収納カート充電装置１によれば、複数の椅子３の摺動ピース９を収納カート４のガイドレール１５の各凹部１６に位置決めさせてスタッキングすることで、使用しない収納・保管状態における各椅子３のバッテリ２に充電することができる。しかも、椅子３の電源端子からパソコン等に接続して使用する際、椅子３を常時外部電源のコンセントに接続して使用する必要がなく取り扱いが簡便である。
特に、椅子３はガイドレール１５に摺動ピース９を挿入させることで、後輪のキャスター５を浮かせて摺動ピース９でガイドレール１５に部分的に吊り下げ状態に保持するから、椅子３を移動させてガイドレール１５の凹部１６に摺動ピース９の軸部９ｂを落とし込むことで確実に摺動ピース９の接点部１０ａとガイドレール１５の接点部２１を接触・導通させることができ、簡単な構成で確実に充電できる。ガイドレール１５の凹部１６を所定間隔で設置すれば、椅子３を整然とスタッキングさせた状態で保管と充電を行える。
また、充電可能な凹部１６以外の位置に摺動ピース９が位置する場合には、椅子３は軸部９ｂが着座板１７に接触して後部を支持された状態で、ガイドレール１５に沿って容易に移動可能である。
【００２１】
次の本発明の他の実施形態や変形例について添付図面に基づいて説明するが、上述の実施の形態と同一または同様な部分、部材については同一の符号を用いて説明を省略する。
図４及び図５は第一実施形態による収納カート充電装置１の第一変形例を示すものである。図４及び図５において、椅子３はその後部両側に設けた摺動ピース９に代えて略円錐台形状の摺動ピース２３（入力側端子部）が例えばビスで椅子３の両側部に取り付けられている。摺動ピース２３は、その周面の上下方向の対向する領域に略半月形状の上部凹溝２３ａ、下部凹溝２３ｂが形成されている。下部凹溝２３ｂの底部にはベアリング２４が設けられ、両側面にはベアリング押さえ２５が固着されている。
摺動ピース２３の頂面２３ｃには導体からなる接点部２７、２７（これらを正極と負極としてもよい）が設けられ、各接点部２７には椅子３の内部を通してバッテリ２に接続する配線が設けられている。一対の接点部２７、２７の間にはマグネット２８が設けられている。
【００２２】
また、ガイドレール１５は、縦断面視略Ｃ字形状に形成され、開口部１５ａを有している。開口部１５ａの上端部１５ｄと下端部１５ｅはそれぞれ摺動ピース２３の上部凹溝２３ａと下部凹溝２３ｂに摺動可能に嵌合されている。そして、椅子３がガイドレール１５に沿って摺動する際、摺動ピース２３の下部凹溝２３ｂのベアリング２４がガイドレール１５の下端部１５ｅに当接して回転移動することで、スムーズに移動するようになっている。
しかも、ガイドレール１５の開口部１５ａに所定間隔で形成される凹部１６においても、開口部１５ａの間隔が変動しないように下端部１５ｅの凹みに対応して上端部１５ｄは突出して形成されている（図４、図５（ｂ）参照）。これにより、凹部１６でも、摺動ピース２３の上部凹溝２３ａに上端部１５ｄが嵌合する。
また、凹部１６における開口部１５ａに対向するガイドレール１５の内面には接点部３０がコイルスプリング等の弾性部材３１を介して設置されている。接点部３０はガイドレール１５に沿って移動する摺動ピース２３の接触と離間をスムーズに行うように、ガイドレール１５の長手方向両端が摺動ピース２３から離間する方向に傾斜または湾曲している。なお、接点部３０も正極端子と負極端子に分離されていてもよい。
【００２３】
従って、椅子３の摺動ピース２３がガイドレール１５に挿入されて摺動し、ガイドレール１５の凹部１６に落ち込むと、摺動ピース２３の接点部２７、２７はガイドレール１５の接点部３０の傾斜面または湾曲部を押して接点部３０を圧縮させながら摺動する。そして、凹部１６内で摺動ピース２３のマグネット２８がガイドレール１５の接点部３０を吸着して接点部２７と確実に導通状態になる。
そのため、本第一変形例においても、椅子３の収納保管状態でバッテリ２を確実に充電できる。なお、両側の摺動ピース２３の接点部２７とガイドレール１５の接点部３０をそれぞれ正極と負極に設定してもよい。
【００２４】
図６は第一実施形態による収納カート充電装置１の第二変形例を示すものであり、本変形例では、開口部１５ａを有するガイドレール１５に、凹部１６に代えて凸部３２を所定間隔で配設している。しかも、ガイドレール１５の高さは凸部３２以外では椅子３の後脚８ｂのキャスター５が基部１２に着地しており、凸部３２で後輪のキャスター５が基部１２から浮き上がるように設定している。そのため、凸部３２に摺動ピース２３が位置した時に接点部２７とガイドレール１５の接点部３０が接触して導通状態になる。
このとき、摺動ピース２３の頂面２３ｃに設けたマグネット２８の磁力を強力に設定することで、椅子３を位置決め保持できる。或いは、ガイドレール１５の開口部１５ａの下端部１５ｅに摺動ピース２３の位置決め用突起部を設けてもよい。
【００２５】
図７は第一実施形態による収納カート充電装置１の第三変形例を示すものである。
本第三変形例では、ガイドレール１５に凹部１６や凸部３２を設けない。図７に示すように、椅子３の後輪のキャスター５が基部１２に設けた移動用ガイド部１２ａに着座して走行するように形成する。しかも、前輪は移動用ガイド部１２ａからずれた位置を走行するように設定する。移動用ガイド部１２ａには所定間隔で凹部３３が形成されている。
そして、椅子３の後輪のキャスター５が凹部３３以外の移動用ガイド部１２ａを走行する際には、ガイドレール１５にガイドされて走行する摺動ピース２３の接点部２７はガイドレール１５の接点部３０と非接触である。そして、後輪のキャスター５が移動用ガイド部１２ａの凹部３３に落ち込んで停止した際に、椅子３が後方に傾斜して摺動ピース２３の接点部３０がガイドレール１５の接点部２１に接触して充電状態になる。
【００２６】
次に本発明の第二実施形態による収納カート充電装置３５について図８乃至図１０により説明する。
図８に示す収納カート充電装置３５において、収納カート４にはガイドレール１５に代えて梁状の単純なガイドバー３６が設けられている。椅子３の前脚８ａと後脚８ｂの各キャスター５は基部１２上の幅方向における走行位置がずれており、前輪（後輪でもよい）のキャスター５が外側を走行するように構成されている。
収納カート４における基部１２上の前輪のキャスター５の走行位置には、図９及び図１０に示すように断面略Ｕ字形状のガイド溝３７が充電用ガイド部として形成されている。ガイド溝３７内の底部には例えば１条の導体が接点部３８として設置され、出力用端子部を構成する。ガイド溝３７の上部開口には２枚に分かれて上部開口を覆うゴムカバー等のカバー部材３９が配設されている。このカバー部材３９によってガイド溝３７内にゴミ等が混入するのを防止できる。
また、椅子３の前脚８ａの下部には内部に配線が設けられた軸部材４１が下方に延びており、下端は椅子３の接点部４１ａとされ、入力用端子部を構成する。この接点部４１ａはカバー部材３９をかき分けてガイド溝３７内に侵入してライン状の接点部３８に接触・離間可能とされている。
【００２７】
椅子３の前脚８ａにおいて、軸部材４１の接点部４１ａより上方領域には軸部材４１に対して回転自在に支持された横軸４２が設けられ、横軸４２には回転軸４３が貫通して回転可能に取り付けられている。この回転軸４３の両側には一対の車輪５ａ、５ａが軸支され、ガイド溝３７を挟んで両側に配設されている（図１０参照）。これら一対の車輪５ａ、５ａは上述した前輪のキャスター５を構成する。
そして、車輪５ａ，５ａが走行する基部１２の移動用ガイド部１２ｂには所定間隔で凹部４５が形成されている（図９参照）。椅子３は前輪である車輪５ａ，５ａが移動用ガイド部１２ｂを走行する際には、前脚８ｂの軸部材４１は接点部４１ａがガイド溝３７内のライン状の接点部３８から離間しており、車輪５ａ，５ａが移動用ガイド部１２ｂの凹部４５内に落ち込んだ時に前脚８ａの軸部材４１は若干降下して接点部４１ａがガイド溝３７内の接点部３８に接触することになる。
なお、２本の前脚８ａに設けた各軸部材４１の接点部４１ａとガイド溝３７内の接点部３８とは正極と負極とされている。また、車輪５ａ，５ａの上半分と軸部材４１との間を覆うキャスターカバー４６が配設されており、キャスターカバー４６は横軸４２と一体に形成されている。
【００２８】
本第二実施形態による収納カート充電装置３５は上述の構成を備えているから、椅子３を収納カート４の一対のフレーム１３，１３間に挿入すると、各キャスター５は基部１２上を走行する。各前輪の車輪５ａ，５ａはガイド溝３７を挟んでその両側を移動用ガイド部１２ｂに沿って走行する。このとき、軸部材４１はガイド溝３７の２枚のカバー部材３９の境を弾性変形させてかき分けながら進行する。
移動用ガイド部１２ｂの凹部４５以外では各前脚８ａの軸部材４１の接点部４１ａはガイド溝３７内の接点部３８から離間しており、椅子３はスムーズに収納カート４内を移動する。そして、各一対の車輪５ａ，５ａが移動用ガイド部１２ｂの凹部４５内に落ち込んで位置決めされると、椅子３の後部が若干降下するため、軸部材４１の接点部４１ａがガイド溝３７内のライン状の接点部３８に接触する。この位置で、外部電源から接点部３８を通して接点部４１ａに給電し、椅子３のバッテリ２を充電することができる。
【００２９】
本第二実施形態による収納カート充電装置３５においても、第一の実施形態と同様の作用効果を奏する。特に本実施形態では、充電時以外では、椅子３の前後輪の各車輪５ａ，５ａが移動用ガイド部１２ａや基部１２に沿って走行するだけで、他の部分は収納カート４に接触しないため、走行が一層スムーズになる。
【００３０】
次に本発明の第三実施形態による収納カート充電装置について図１１乃至図１４により説明する。
本第三実施形態による収納カート充電装置４７は、上述の第三実施形態による収納カート充電装置３５と同様に、椅子３の一対の前脚８ａ（または後脚８ｂ）の下部にそれぞれ軸部材４１が設けられている。各軸部材４１はその凹溝部４１ａで、横部材４２と一体に形成されたキャスターカバー４６に着脱可能に係止され、キャスターカバー４６は横部材４２と共に軸部材４１に対して回転可能とされている。横部材４２には回転軸４３が挿入されて回転可能とされ、回転軸４３の両側にはキャスター５として一対の車輪５ａ、５ａが連結されている。
横部材４２の下端には導体からなる平面視略舟形をなす舟形接点部４８が入力用端子部として設けられ（図１３参照）、図１１、１２に二点鎖線で示す配線等を介して軸部材４１に通電している。舟形接点部４８は図１４に示すように所定長さＢの平行平面部４８ａとその両端の舳先部４８ｂ、４８ｂとで形成されていて、車輪５ａ、５ａの間に突出しているが、基部１２上に設けたキャスター５の移動用ガイド部１２ｂから離間している（図１２参照）。
【００３１】
一方、図１２に示すように基部１２の移動用ガイド部１２ｂには一対の車輪５ａ，５ａが走行する領域間の中央部に、導体からなる一対の波板形状の波形接点部４９、４９がライン状に形成されており、出力用端子部を構成している（図１３参照）。ここで、波形接点部４９，４９はどのような凹凸形状でもよいが、好ましくは互いに同一波長同一振幅であって位相は同一でも適宜波長分ずれていてもよい（図１３では１／４波長ずれている）。各波形接点部４９の波長（周期）は舟形接点部４８の平行平面部４８ａの長さＢより短く設定され且つ波形接点部４９，４９間の最小間隔は舟形接点部４８の平行平面部４８ａの幅Ｃより若干小さく設定されている。
そのため、椅子３の走行に際しては、任意の停止位置で舟形接点部４８は両側の波形接点部４９、４９に同時に接触した状態を確保できる。そのため、一方の波形接点部４９を正極、他方の波形接点部４９を負極とし、舟形接点部４８の両側の平行平面部４８ａ，４８ａを互いに絶縁された正極と負極とすることで、任意の位置で椅子３のバッテリ２に充電できる。或いは、椅子３の両側におけるそれぞれの舟形接点部４８と波形接点部４９をそれぞれ正極と負極としてもよい。
【００３２】
なお、収納カート４の基部１２において、移動用ガイド部１２ｂはキャスター５に設けた一対の車輪５ａ，５ａの幅より若干広い程度の幅に形成されている。そして、移動用ガイド部１２ｂの両端部は、図１３に示すように基部１２の端縁に向けてテーパ状に拡幅する拡幅部１２ｃがそれぞれ形成されている。
そのため、椅子３のキャスター５を移動用ガイド部１２ｂ内に乗り入れさせるに際し、拡幅部１２ｃの一方の側部に沿って進入させれば、一対の車輪５ａ、５ａは波形接点部４９，４９の両側に位置すると共に舟形接点部４８は波形接点部４９，４９の間に挿入される。
【００３３】
本第三実施形態による収納カート充電装置４７は上述の構成を備えているから、椅子３を収納カート４に収納する際、各前脚８ａのキャスター５を基部１２の各移動用ガイド部１２ｂに進入させる。このとき、キャスター５を移動用ガイド部１２ｂの端部に設けた拡幅部１２ｃの一方の側部に沿って進入させると、一対の車輪５ａ，５ａは波形接点部４９，４９の両側に順次進入し、舟形接点部４８は一対の波形接点部４９，４９間に挿入される。
或いは、拡幅部１２ｃの側部に沿うことなく中央から挿入させると、移動用ガイド部１２ｃとキャスター５とが若干ずれていても拡幅部１２ｃのテーパ状の側部に当接して方向を調整させられる。そのため、椅子３の前輪であるキャスター５は、確実に一対の車輪５ａ，５ａが波形接点部４９，４９の両側に進入し、舟形接点部４８が波形接点部４９，４９間に挿入される。
【００３４】
そして、椅子３を移動用ガイド部１２ｂに沿って任意の位置まで進行させて停止させると、ライン状の波形接点部４９，４９間に挟持されたキャスター５の舟形接点部４８は両側の平行平面部４８ａ，４８ａがそれぞれ両側の波形接点部４９，４９における山部に押圧接触した状態になる。図１３に示す例では３点で接触しているが、両側でそれぞれ１点以上で接触していればよい。
そのため、外部電源から波形接点部４９，４９を介して確実に舟形接点部４８の平行平面部４８ａ，４８ａに給電し、バッテリ２を充電できる。
【００３５】
上述のように本第三実施形態による収納カート充電装置４７によれば、上述した作用効果に加えて、椅子３は舟形接点部４８が波形接点部４９，４９に摺動可能に挟持されて任意の位置でバッテリ２に充電させることができ、位置決め部材は必要ない。
【００３６】
次に本発明の第四実施形態による収納カート充電装置について図１５乃至図１８により説明する。
本第四実施形態による収納カート充電装置５２では、図１５及び図１６に示すように、収納カート５３は板状の基部５４に二本の支柱５５、５６を起立させ、これら支柱５５、５６の上端間を充電用ガイド部としてのガイドレール５７で連結している。ガイドレール５７の下面は、図１７に示すように長手方向に所定間隔で下向きの凸部５７ａが形成されている。また、ガイドレール５７の下面には例えば二本のライン溝５８ａ、５８ａが並列に形成され、各ライン溝５８ａ、５８ａの底面にはライン状の導体からなる接点部５９，５９が設けられている（図１８参照）。これら接点部５９，５９は出力用端子部を構成する。各接点部５９，５９は支柱５５内を通して配線が外部電源のコンセントに接続されている。
なお、上述の説明では、接点部５９，５９をライン状に連続して形成したが、少なくとも凸部５７ａに設けられていればよく、ライン溝５８ａ、５８ａについても同様である。
また、収納カート５３の基部５４には、ガイドレール５７に対向する位置に前脚８ａのキャスター５と後脚８ｂのキャスター５とを走行させるための断面凹部形状の移動用ガイド部５４ａが形成されている。そのため、各椅子３は移動用ガイド部５４ａに沿って移動可能で片側の前後脚８ａ，８ｂのキャスター５、５が移動用ガイド部５４ａ内に保持された状態で収納・保管状態となる。
【００３７】
一方、椅子３は使用時に座部７の上方に回動保持されてパソコン等を載置して使用可能な天板６１が収納可能に設けられている。この天板６１は畳まれた状態で椅子３の側部に略垂直方向に回動して保持されており、各図では椅子３の側部に天板６１を畳んだ状態を示している。また、天板６１の裏面にはバッテリ２が設けられている。
そして、収納カート５３に収納・保管された椅子３において、畳まれた状態にある天板６１の上端には厚み方向に一対の凹溝６２ａ、６２ａが形成されている。これらの凹溝６２ａ，６２ａ内には入力用端子部として突起状接点部６３、６３が設けられている。各突起状接点部６３，６３は例えばコイルスプリングのような弾性部材６４によって突出方向（接点部５９，５９（出力端子部）に向かう方向）に付勢されていると共に、天板６１内を通してバッテリ２に配線が接続されている。この場合、椅子３は突起状接点部６３、６３がガイドレール５７の凸部５７ａに対向する位置に停止させられた状態で、ライン溝５８ａ，５８ａに設けた接点部５９，５９にそれぞれ接触して導通状態となり、バッテリ２に充電可能となる。なお、弾性部材６４に代えて、接点部５９と突起状接点部６３の一方または両方に磁石を設けて互いに吸着可能としてもよい。
また、椅子３が移動用ガイド部５４ａ内を走行して、畳まれた天板６１の突起状接点部６３、６３がガイドレール５７の凸部５７ａにおける各接点部５９，５９に対向する位置で位置決め停止させられるように、凸部５７ａに対向する移動用ガイド部５４ａ上の前後位置にキャスター５を停止させるための位置決め用突起部６５、６５が設けられていてもよい（図１７参照）。移動用ガイド部５４ａで位置決め用突起部６５、６５を設ける位置は前脚８ａまたは後脚８ｂのキャスター５、５のいずれの位置でもよい。
【００３８】
本実施形態による収納カート充電装置５２は上述の構成を備えているから、収納カート５３の基部５４に設けた移動用ガイド部５４ａに、天板６１を側面に畳んだ椅子３における片側の前脚８ａ及び後脚８ｂのキャスター５，５を進入させる。その後、椅子３を移動させると、椅子３は移動用ガイド部５４ａに沿って進み、天板６１の上端に設けた一対の突起状接点部６３，６３はガイドレール５７に対向する位置を進む。
そして、片側の前脚８ａまたは後脚８ｂのキャスター５が移動用ガイド部５４ａの突起部６５，６５間で位置決め停止されると、天板６１の凹溝６２ａ，６２ａに設けた突起状接点部６３，６３はガイドレール５７の凸部５７ａにおける接点部５９，５９にそれぞれ対向している。しかも突起状接点部６３，６３は弾性部材６４で突出方向に付勢されているから、この位置で接点部５９，５９と接触状態になる。
従って、天板６１に設けたバッテリ２を自動的に充電できる。他の椅子３についても同様である。収納カート５３に順次椅子３を収納した状態で、それぞれ移動用ガイド部５４ａの突起部６５，６５間で停止させられた位置で、突起状接点部６３，６３は凸部５７ａの接点部５９，５９に接触してバッテリ２を充電できる。
【００３９】
なお、ガイドレール５７は、天板６１の厚みよりもわずかに広い離間寸法を有する一対の対向壁を厚み方向両側に突出させて形成すると共に、この対向壁を天板６１にオーバーハングさせた構成を採用しても良い。このようにすると、対向壁間に天板６１の一部が位置する状態となり、移動用ガイド部の機能を担うことができる。これにより、基部５４に設けた移動用ガイド部５４ａを省略でき、ガイドレール５７の領域に充電用ガイド部と移動用ガイド部を備えた構成が得られる。
【００４０】
上述のように本第四実施形態においても、椅子３の本体だけでなく付属品である天板６１を用いてバッテリ２に充電できる。しかも、収納カート５３は上述のものより一層簡単な構成のものを採用できる。
【００４１】
なお、第四実施形態による収納カート充電装置５２において、突起状接点部６３は天板６１以外の付属品に設けてもよく、或いは椅子３の背もたれ部に設けてもよく、ガイドレール５７に対向する位置で移動可能な構成であればよい。
また、上述の各実施形態による収納カート充電装置１，３５，４７，５２では、基本的に商用のＡＣ１００Ｖ電源に通電されたガイド部または充電用ガイド部の出力用端子部を用いて複数の椅子３の入力用端子部を並列に接続して複数のバッテリ２に充電するようにしたが、電源電圧は適宜のものを採用してもよいし、接続方法も並列だけでなく直列接続等を用いてもよい。
また、上述の各実施形態による収納カート充電装置では、バッテリ２を設けた椅子３例にして説明したが、本発明は椅子３に限定されることなく、例えば折りたたみ式のテーブル、ワゴン、キャビネット、カートなど、収納・保管が可能な各種什器の充電や給電用の装置として用いることができる。
【図面の簡単な説明】
【００４２】
【図１】本発明の第一実施形態による収納カート充電装置を示すもので、（ａ）は側面図、（ｂ）は（ａ）の収納カート充電装置を後端側から見た図である。
【図２】図２はガイドレールにおける接点部と椅子の摺動ピースとの位置関係を示す要部説明図である。
【図３】椅子の摺動ピースとガイドレールの接点部との連結構造を示す断面図であって、（ａ）は非接触状態、（ｂ）は接触状態の図である。
【図４】第一実施形態の第一変形例による収納カート充電装置において、ガイドレールにおける接点部と椅子の摺動ピースとの位置関係を示す要部説明図である。
【図５】第一変形例に示す椅子の摺動ピースとガイドレールの接点部との連結構造を示す断面図であって、（ａ）は非接触状態、（ｂ）は接触状態の図である。
【図６】第二変形例によるガイドレールにおける接点部と椅子の摺動ピースとの位置関係を示す要部説明図である。
【図７】第三変形例による充電用ガイドレールと移動用ガイド部との関係を示す図である。
【図８】第二実施形態による収納カート充電装置を示すもので、（ａ）は要部側面図、（ｂ）は収納カートを先端方向から見た図である。
【図９】第二実施形態の収納カート充電装置において、充電用ガイド部と移動ガイド部とを備えたキャスター部分の構成を示す側面図である。
【図１０】図９に示す充電用ガイド部と移動ガイド部とを備えたキャスター部分の構成を示す軸部材に沿った縦断面図である。
【図１１】第三実施形態による収納カート充電装置における充電用ガイド部と移動ガイド部とを備えたキャスター部分を示す側面図である。
【図１２】図１１に示す収納カート充電装置における充電用ガイド部と移動ガイド部とを備えたキャスター部分の軸部材に沿う縦断面図である。
【図１３】椅子３を収納カートに挿入する際におけるキャスターが移動用ガイド部に進入する状態を示す説明用平面図である。
【図１４】舟形接点部の水平輪郭図である。
【図１５】第四実施形態による収納カート充電装置の要部側面図である。
【図１６】図１５に示す収納カート充電装置の正面図である。
【図１７】椅子の畳んだ机とガイドレールとの関係を示す図である。
【図１８】図１７において、机の幅方向断面図における突起状接点部と接点部との接続状体を示す説明図である。
【符号の説明】
【００４３】
１、３５、４７、５２  収納カート充電装置
２  バッテリ
３  椅子
４  収納カート
５  キャスター
５ａ  車輪
９、２３  摺動ピース
１０、２７、４１ａ  接点部
１２  基部
１２ａ、１２ｂ、５４ａ  移動用ガイド部
１５、５７  ガイドレール
１５ａ  開口部
１６、４５  凹部
２１、３０、３８  接点部
２８  マグネット
３３、４５  凹部
３７  ガイド溝
４１  軸部材
４８  舟形接点部
４９  波形接点部
５７ａ、６５  突起部
５８ａ  ライン溝
５９  接点部
６１  天板
６２ａ  凹溝
６３  突起状接点部
【図１】
2010119212.tif 000003
【図２】
2010119212.tif 000004
【図３】
2010119212.tif 000005
【図４】
2010119212.tif 000006
【図５】
2010119212.tif 000007
【図６】
2010119212.tif 000008
【図７】
2010119212.tif 000009
【図８】
2010119212.tif 000010
【図９】
2010119212.tif 000011
【図１０】
2010119212.tif 000012
【図１１】
2010119212.tif 000013
【図１２】
2010119212.tif 000014
【図１３】
2010119212.tif 000015
【図１４】
2010119212.tif 000016
【図１５】
2010119212.tif 000017
【図１６】
2010119212.tif 000018
【図１７】
2010119212.tif 000019
【図１８】
2010119212.tif 000020